(57)【特許請求の範囲】
【請求項１】
多孔質の絶縁材料に直流電界をかけることによって前記絶縁材料に含まれる絶縁液体を引き抜くことを特徴とする絶縁液体の引き抜き方法。
【請求項２】
請求項１に記載の絶縁液体の引き抜き方法を実施する装置であって、前記絶縁材料を互いに形状の異なる一対の電極間に介装するとともに、前記一対の電極間に直流電圧を印加し、前記絶縁材料と電界の高い側の電極との対向部から前記絶縁液体を引き抜いてなることを特徴とする絶縁液体の引き抜き装置。
【請求項３】
請求項２に記載の絶縁液体の引き抜き装置において、前記対向部を前記絶縁材料の下側に配してなることを特徴とする絶縁液体の引き抜き装置。
【請求項４】
請求項３に記載の絶縁液体の引き抜き装置において、前記対向部に絶縁体の一方端が挿入され、前記絶縁材料から引き抜かれた前記絶縁液体を前記絶縁体に沿わせて流し、前記絶縁体の他方端から前記絶縁液体を回収してなることを特徴とする絶縁液体の引き抜き装置。
【請求項５】
請求項２または３に記載の絶縁液体の引き抜き装置において、前記対向部に絶縁性のパイプの一方端が挿入されるとともに、前記パイプの内部が周囲より減圧され、前記絶縁材料から引き抜かれた前記絶縁液体を前記パイプの内部を介して前記パイプの他方端から回収してなることを特徴とする絶縁液体の引き抜き装置。
【請求項６】
請求項２または３に記載の絶縁液体の引き抜き装置において、前記電界の高い側の電極は、内部に空間を備えるとともに前記対向部側に前記空間と連通する細孔を備え、前記絶縁材料から引き抜かれた前記絶縁液体が前記対向部から前記細孔を介して前記空間に流され、前記空間に内部が周囲より減圧された絶縁性のパイプの一方端が挿入され、前記空間に溜め込まれた前記絶縁液体を前記パイプの他方端から回収してなることを特徴とする絶縁液体の引き抜き装置。
【請求項７】
請求項２ないし６に記載の絶縁液体の引き抜き装置において、前記絶縁材料と前記電界の高い側の電極とを互いにスライドさせてなることを特徴とする絶縁液体の引き抜き装置。
【請求項８】
導電性液体の表面に拡がった絶縁液体に直流電界をかけることによって前記絶縁液体を前記導電性液体から引き抜くことを特徴とする絶縁液体の引き抜き方法。
【請求項９】
請求項８に記載の絶縁液体の引き抜き方法を実施する装置であって、前記絶縁液体の上部にギャップを介して電極が配され、前記電極と前記導電性液体との間に直流電圧を印加し、前記ギャップから前記絶縁液体を引き抜いてなることを特徴とする絶縁液体の引き抜き装置。
【請求項１０】
請求項９に記載の絶縁液体の引き抜き装置において、前記絶縁液体の上部に配された電極と前記導電性液体とを互いにスライドさせてなることを特徴とする絶縁液体の引き抜き装置。
【発明の詳細な説明】
【０００１】
【発明の属する技術分野】
この発明は、絶縁液体と他の固体物あるいは液体物とが共存してなるものから前記絶縁液体を選択的に引き抜く方法および装置に関する。
【０００２】
【従来の技術】
木材や紙、布、スポンジなどの多孔質の絶縁材料が絶縁油などの絶縁液体でもって汚染されたときにその絶縁液体を除去したい場合がある。従来、絶縁材料から絶縁液体を引き抜く場合、その絶縁材料を加熱して絶縁液体を蒸発させる方法とか、メカニカルなポンプで絶縁液体を吸引する方法などが用いられている。
【０００３】
また、水の表面に拡がった絶縁油はスプーンで掬うとか、水と一緒に絶縁油を回収する方法などが実施されていた。
さらに、混在する複数の絶縁液体は、比重差でもって分離する方法などが実施されていた。
【０００４】
【発明が解決しようとする課題】
しかしながら、前述したような従来の絶縁液体の引き抜き方法および装置は、絶縁材料に損傷を与えるという問題点があった。
すなわち、絶縁材料を加熱して絶縁液体を蒸発させる方法は、高温になるので絶縁材料が熱劣化する可能性があった。一方、温度を下げると絶縁液体が蒸発し難いので絶縁液体を引き抜くことができない。絶縁液体を蒸発させるための加熱により絶縁材料が熱劣化すると、その絶縁材料の機械的強度が低下し実用上の問題点があった。
【０００５】
また、メカニカルなポンプで絶縁液体を吸引する方法も、その吸引力が絶縁材料にも加わるので絶縁材料自体が機械的に損傷され、この場合も実用上の問題点があった。
また、水の表面に拡がった絶縁油をスプーンで掬うとか、水と一緒に絶縁油を回収することなどの方法は、多大な労力と時間が必要であった。
【０００６】
さらに、混在する複数の絶縁液体を比重差でもって分離する方法も、大量の処理が不可能で多大な時間が必要であった。
この発明の目的は、絶縁材料に損傷を与えないような絶縁液体の引き抜き方法および装置を提供することにある。
また、この発明の目的は、水などの導電性液体の表面に拡がった絶縁油などの絶縁液体を短時間でかつ容易に回収することのできる方法および装置を提供することにある。
【０００８】
【課題を解決するための手段】
上記目的を達成するために、この発明の方法によれば、多孔質の絶縁材料に直流電界をかけることによって前記絶縁材料に含まれる絶縁液体を引き抜くようにするとよい。一般に、電界の印加された場所に周囲の空間より大きい誘電率をもつ絶縁液体が存在すると、その絶縁液体が凝縮作用を受けて電界の高い方向へ引き寄せられる。絶縁液体が電界の印加だけで引き抜かれるので絶縁材料の温度上昇はない上に、ポンプの吸引力も加わらないので絶縁材料が損傷されることは全くない。
【０００９】
また、かかる絶縁液体の引き抜き方法を実施する装置であって、前記絶縁材料を互いに形状の異なる一対の電極間に介装するとともに、前記一対の電極間に直流電圧を印加し、前記絶縁材料と電界の高い側の電極との対向部から前記絶縁液体を引き抜いてなるようにするとよい。それによって、絶縁液体が電界だけで引き抜かれるので絶縁材料が損傷されることはない。
【００１０】
また、かかる絶縁液体の引き抜き装置において、前記対向部を前記絶縁材料の下側に配してなるようにしてもよい。それによって、絶縁材料から引き抜かれた絶縁液体が電界の高い側の電極に沿って重力でもって下方へ流れ、その下部で絶縁液体が回収される。
また、かかる絶縁液体の引き抜き装置において、前記対向部に絶縁体の一方端が挿入され、前記絶縁材料から引き抜かれた前記絶縁液体を前記絶縁体に沿わせて流し、前記絶縁体の他方端から前記絶縁液体を回収してなるようにしてもよい。それによって、絶縁材料から引き抜かれた絶縁液体が絶縁体に沿って重力でもって下方へ流れ、その下部で絶縁液体が回収される。
【００１１】
また、かかる絶縁液体の引き抜き装置において、前記対向部に絶縁性のパイプの一方端が挿入されるとともに、前記パイプの内部が周囲より減圧され、前記絶縁材料から引き抜かれた前記絶縁液体を前記パイプの内部を介して前記パイプの他方端から回収してなるようにしてもよい。それによって、絶縁材料から引き抜かれた絶縁液体が前記パイプの内部を圧力差でもって流れ、パイプの他方端で絶縁液体が回収される。
【００１２】
また、かかる絶縁液体の引き抜き装置において、前記電界の高い側の電極は、内部に空間を備えるとともに前記対向部側に前記空間と連通する細孔を備え、前記絶縁材料から引き抜かれた前記絶縁液体が前記対向部から前記細孔を介して前記空間に流され、前記空間に内部が周囲より減圧された絶縁性のパイプの一方端が挿入され、前記空間に溜め込まれた前記絶縁液体を前記パイプの他方端から回収してなるようにしてもよい。それによって、絶縁材料から引き抜かれた絶縁液体が圧力差でもって細孔の中を流れて空間に一旦蓄積され、そこで蓄積された絶縁液体がパイプの中を流れ、パイプの他方端で絶縁液体が回収される。
【００１３】
また、かかる絶縁液体の引き抜き装置において、前記絶縁材料と前記電界の高い側の電極とを互いにスライドさせてなるようにしてもよい。それによって、一度のスライドでもって絶縁材料の広い面積に渡って含まれる絶縁液体を引き抜くことができる。
また、この発明の方法によれば、導電性液体の表面に拡がった絶縁液体に直流電界をかけることによって前記絶縁液体を前記導電性液体から引き抜くようにするとよい。一般に、電界の印加された場所に周囲の空間より大きい誘電率をもつ絶縁液体が存在すると、その絶縁液体が凝縮作用を受けて電界の高い方向へ引き寄せられる。それによって、短時間でかつ容易に絶縁液体を選択的に回収することができる。
【００１４】
また、かかる絶縁液体の引き抜き方法を実施する装置であって、前記絶縁液体の上部にギャップを介して電極が配され、前記電極と前記導電性液体との間に直流電圧を印加し、前記ギャップから前記絶縁液体を引き抜いてなるようにするとよい。それによって、電界だけにより、短時間でかつ容易に絶縁液体を選択的に回収することができる。
【００１５】
また、かかる絶縁液体の引き抜き装置において、前記絶縁液体の上部に配された電極と前記導電性液体とを互いにスライドさせてなるようにしてもよい。それによって、一度のスライドでもって広い面積に渡って含まれる絶縁液体を選択的に引き抜くことができる。
【００１８】
【発明の実施の形態】
以下、この発明を実施例および参考例に基づいて説明する。図１は、この発明の実施例にかかる絶縁液体の引き抜き装置の構成を示す断面図である。木材や紙、布、スポンジなどの多孔質の絶縁材料５が、互いに形状の異なる一対の電極間、すなわち、球状電極１と平板電極２との間に介装されている。また、球状電極１と平板電極２とに直流電圧が印加されている。さらに、球状電極１と絶縁材料５との対向部４は、０．２ｍｍのギャップが保たれ、そのギャップに絶縁性のパイプ３の一方端が挿入され、パイプ３の内部は周囲より減圧されている。
【００１９】
図１において、絶縁材料５に電界が印加されるので、その絶縁材料５中に含まれていた絶縁液体６が電界の高い方向、すなわち、球状電極１側へ引き寄せられる。それによって、球状電極１と絶縁材料５との対向部４に絶縁液体６が引き出される。対向部４における絶縁液体６は、内部が周囲より減圧されたパイプ３を介して矢印７の方向へ流され、所定の場所に回収される。絶縁液体６が電界だけでもって引き抜かれるので絶縁材料５には温度上昇がない上に、ポンプの吸引力も加わらないので絶縁材料５が損傷されることはない。
【００２０】
図２は、この発明の異なる実施例にかかる絶縁液体の引き抜き装置の構成を示す断面図である。絶縁材料５が、互いに形状の異なる針状電極８と平板電極２との間に介装されている。図２のその他は図１の構成と同じであり、図１と同じ部分は同一参照符号を付けることによって図２の構成の説明は省略する。図１の球状電極１を針状電極８に変えることによって、より高い電界を得ることができる。実験によれば、電界の値は、０．１〜２ＭＶ／ｍ、好ましいくは０．２５〜０．８ＭＶ／ｍとするとよい。０．１ＭＶ／ｍ以下では、絶縁液体６の引き抜き現象が起き難い。一方、２ＭＶ／ｍ以上では、周囲が空気の場合、コロナ現象が起き使用不能になる。
【００２１】
図２において、絶縁材料５がスポンジで絶縁液体６がシリコーン油の場合、絶縁材料５と針状電極８との対向部４のギャップ長を０．２ｍｍに保持しておき、平板電極２を接地して針状電極８に負極性の直流電圧２ｋＶを印加すると、絶縁液体６が絶縁材料５から引き抜かれ、図２の対向部４のように絶縁液体６がギャップを柱状に橋絡した。この現象は、正極性の場合でも同様であった。また、印加電圧を１ｋＶまで低下させても、２ｋＶの場合と同様に絶縁液体６がギャップを柱状に橋絡した。パイプ３からは周囲より僅かの減圧でもってシリコーン油が流れ、容易に回収することができた。
【００２２】
図３は、この発明のさらに異なる実施例にかかる絶縁液体の引き抜き装置の構成を示す断面図である。図２を上下逆にしパイプ３が取り除かれている。図３のその他は図２の構成と同じである。対向部４に引き抜かれた絶縁液体６は、重力でもって針状電極８に沿って矢印７のように流れ下部で回収される。図３のように針状電極８を下部に持ってくれば、針状電極８自体が絶縁液体６の回収用のガイドとなり、パイプなど特に絶縁液体６のガイドを用意する必要がないので装置が簡素になる。なお、図３における針状電極８は、図の奥行き方向に長い刃形電極、あるいは、鋸形電極、歯形電極、突起付平板電極、金網などに変更してもよい。
【００２３】
図４は、この発明のさらに異なる実施例にかかる絶縁液体の引き抜き装置の構成を示す断面図である。対向部４に棒状の絶縁体１０の一方端が挿入されている。図４のその他は図３の構成と同じである。対向部４に引き抜かれた絶縁液体６は、重力でもって絶縁体１０に沿って矢印７のように流れ、絶縁体１０の他方端で絶縁液体を回収することができる。針状電極８を下部に持ってくれば、棒状の絶縁体１０でもよく、図２のようにパイプ３を用意する必要がないので装置が簡素である。なお、図４における絶縁体１０は、絶縁ワイヤーとしてもよい。
【００２４】
図５は、この発明のさらに異なる実施例にかかる絶縁液体の引き抜き装置の構成を示す断面図である。多孔質の絶縁材料５が、球状電極１１と平板電極２との間に介装されている。また、球状電極１１と平板電極２とに直流電圧が印加されている。球状電極１１は、内部に空間１２を備えるとともに球状電極１１と絶縁材料５との対向部４と空間１２とを連通させる複数の細孔１３を備えている。また、球状電極１１と絶縁材料５との対向部４は、０．２ｍｍのギャップが保たれている。空間１２に内部が周囲より減圧された絶縁性のパイプ３の一方端が挿入されている。対向部４における絶縁液体６が圧力差でもって細孔１３の中を流れて空間１２に一旦蓄積され、その空間１２に蓄積された絶縁液体６がパイプ３の中を矢印７のように流れ、パイプ３の他方端で回収される。絶縁液体６が空間１２に蓄積されるので漏れなく絶縁液体６を回収することができると言うメリットがある。
【００２５】
図５において、絶縁材料５がスポンジで絶縁液体６がシリコーン油の場合、絶縁材料５と球状電極１１との対向部４のギャップ長を０．２ｍｍに保持しておき、平板電極２を接地して球状電極１１に負極性の直流電圧３ｋＶを印加すると、絶縁液体６が絶縁材料５から引き抜かれ、図５の対向部４のように絶縁液体６がギャップを柱状に橋絡した。この現象は、正極性の場合でも同様であった。また、印加電圧を１．５ｋＶまで低下させても、３ｋＶの場合と同様に絶縁液体６がギャップを柱状に橋絡した。パイプ３からは周囲より僅かの減圧でもってシリコーン油が流れ、容易に回収することができた。
【００２６】
図６は、この発明のさらに異なる実施例にかかる絶縁液体の引き抜き装置の構成を示す断面図である。図６の構成は、図５を上下を逆にしただけである。対向部４に引き抜かれた絶縁液体６は、細孔１３を介して重力でもって矢印７Ａのように空間１２に一旦蓄積され、その空間１２に蓄積された絶縁液体６がパイプ３の中を矢印７のように流れ、パイプ３の他方端で回収される。図５の場合と比べて、重力のかかる分だけ絶縁液体６が落下し易く回収しやすい。
【００２７】
図７は、この発明のさらに異なる実施例にかかる絶縁液体の引き抜き装置の構成を示す断面図である。多孔質の絶縁材料５が、円筒状電極１４と平板電極２との間に介装されている。また、絶縁材料５が矢印１６方向に水平に可動であり、円筒状電極１４と平板電極２とは不動である。図７のその他は図５の構成と同じである。絶縁材料５が水平に移動するので、絶縁材料５の広い面積に渡って含まれる絶縁液体６を一度のスライドでもって引き抜くことができる。それによって、作業の効率化を図ることができる。
【００２８】
なお、図７において、絶縁材料５を不動にし、円筒状電極１４と平板電極２との対を水平に移動してもよい。
また、図１ないし図７の実施例において、絶縁液体６が引き抜かれても絶縁材料５に歪みやひび割れ、膨張、収縮などの変形は一切生じなかった。絶縁液体６の引き抜き量は、電界の調整、すなわち、印加電圧の調整によって電気的に制御することができる。消費電力は、印加電圧５ｋＶ以下、電流１０μＡ以下に抑えることができるので、５０ｍＷ以下であり省エネルギーである。
【００２９】
さらに、図１ないし図７の実施例において、絶縁液体６としては、鉱油、シリコーン油、変圧器油、重油、石油、灯油などの絶縁油、ヘキサン、メタン、ブタン、ペンタンなどの炭化水素系液体、液体窒素、液体ヘリウムなどの極低温液体において、特に効果的である。
さらに、図１ないし図７の実施例において、電界の高い側の電極に印加する電圧の極性は、正負いずれでもよいが、気中火花電圧の高い負極性の方が有利である。
【００３０】
図８は、この発明のさらに異なる実施例にかかる絶縁液体の引き抜き装置の構成を示す断面図である。水などの導電性液体２２の表面に油など水より軽い絶縁液体２３が拡がっている。針状電極８がギャップ２４を介して絶縁液体２３の上部に配されている。また、棒状電極２１が導電性液体２３に差し込まれ、棒状電極２１と針状電極８との間に直流電源２０が介装されている。ギャップ２４に絶縁性のパイプ３の一方端が挿入され、パイプ３の内部は周囲より減圧されている。
【００３１】
図８において、直流電源２０が生かされると、絶縁液体２３に電界がかかり、周囲の空間より大きい誘電率をもつ絶縁液体２３が凝縮作用を受けて電界の高い針状電極８側へ引き寄せられる。それによって、ギャップ２４に絶縁液体２３が引き出される。ギャップ２４における絶縁液体２３は、内部が周囲より減圧されたパイプ３を介して矢印７の方向へ流され、所定の場所に回収される。そのために、短時間でかつ容易に絶縁液体２３を回収することができる。
【００３２】
なお、図８における針状電極８は左右にスライドさせる構成であってもよい。それによって、絶縁液体２３を一度に効率良く回収することができる。
図９は、この発明の参考例にかかる絶縁液体の引き抜き装置の構成を示す断面図である。互いに溶解しないでかつ誘電率の異なる２つの絶縁液体２３，２５が混在する混合液体の上部に針状電極８がギャップ２４を介して配されている。また、混合液体は、導電性の接地容器２６に収納され、接地容器２６と針状電極８との間に直流電源２０が介装されている。ギャップ２４に絶縁性のパイプ３の一方端が挿入され、パイプ３の内部は周囲より減圧されている。図９において、直流電源２０が生かされると、混合液体に電界がかかり、絶縁液体２５より大きい誘電率をもった絶縁液体２３が凝縮作用を受けて電界の高い針状電極８側へ引き寄せられる。それによって、ギャップ２４の絶縁液体２３が引き出される。ギャップ２４における絶縁液体２３は、内部が周囲より減圧されたパイプ３を介して矢印７の方向へ流され、所定の場所に回収される。そのために、短時間でかつ容易に絶縁液体２３を回収することができる。
【００３３】
なお、図９における針状電極８も左右にスライドさせる構成であってもよい。それによって、絶縁液体２３を一度に効率良く回収することができる。
【００３４】
【発明の効果】
上記目的を達成するために、この発明の方法によれば、多孔質の絶縁材料に直流電界をかけ前記絶縁材料に含まれる絶縁液体を引き抜くようにすることによって、絶縁材料を損傷させることなしに絶縁液体を引き抜くことができる。それによって、多孔質の絶縁材料から絶縁液体だけを選択的に回収することができる。
【００３５】
また、かかる絶縁液体の引き抜き方法を実施する装置であって、前記絶縁材料を互いに形状の異なる一対の電極間に介装するとともに、前記一対の電極間に直流電圧を印加し、前記絶縁材料と電界の高い側の電極との対向部から前記絶縁液体を引き抜いてなるようにすることによって、脱油装置、油染み抜き装置、油回収装置など広い範囲に渡って応用することができる。
【００３６】
また、かかる絶縁液体の引き抜き装置において、前記対向部を前記絶縁材料の下側に配してなるようにすることによって、電界の高い側の電極自体が絶縁液体の回収用のガイドとなり、特別なガイドが不要で簡素な装置とすることができる。
また、かかる絶縁液体の引き抜き装置において、前記対向部に絶縁体の一方端が挿入され、前記絶縁材料から引き抜かれた前記絶縁液体を前記絶縁体に沿わせて流し、前記絶縁体の他方端から前記絶縁液体を回収してなるようにすることによって、簡単な回収用のガイドで済み、簡素な装置とすることができる。
【００３７】
また、かかる絶縁液体の引き抜き装置において、前記対向部に絶縁性のパイプの一方端が挿入されるとともに、前記パイプの内部が周囲より減圧され、前記絶縁材料から引き抜かれた前記絶縁液体を前記パイプの内部を介して前記パイプの他方端から回収してなるようにすることによって、絶縁材料から引き抜かれた絶縁液体を確実に所定の場所へ回収することができる。
【００３８】
また、かかる絶縁液体の引き抜き装置において、前記電界の高い側の電極は、内部に空間を備えるとともに前記対向部側に前記空間と連通する細孔を備え、前記絶縁材料から引き抜かれた前記絶縁液体が前記対向部から前記細孔を介して前記空間に流され、前記空間に内部が周囲より減圧された絶縁性のパイプの一方端が挿入され、前記空間に溜め込まれた前記絶縁液体を前記パイプの他方端から回収してなるようにすることによって、絶縁材料から引き抜かれた絶縁液体が一旦空間に蓄積されるので、漏れなく絶縁液体を回収することができる。
【００３９】
また、かかる絶縁液体の引き抜き装置において、前記絶縁材料と前記電界の高い側の電極とを互いにスライドさせてなるようにすることによって、対向部が移動するので、一度のスライドでもって絶縁材料の広い面積に渡って含まれる絶縁液体を引き抜くことができ、作業の効率化を図ることができる。
また、この発明の方法によれば、導電性液体の表面に拡がった絶縁液体に直流電界をかけることによって前記絶縁液体を前記導電性液体から引き抜くようにすることにより、短時間でかつ容易に絶縁液体を選択的に回収することができ、絶縁液体の回収効率、例えば、海水の表面が油で汚染された場合の油の回収効率が向上する。
【００４０】
また、かかる絶縁液体の引き抜き方法を実施する装置であって、前記絶縁液体の上部にギャップを介して電極が配され、前記電極と前記導電性液体との間に直流電圧を印加し、前記ギャップから前記絶縁液体を引き抜いてなるようにすることによって、電界だけにより、短時間でかつ容易に絶縁液体を選択的に回収することができ、絶縁液体の回収効率が向上する。
【００４１】
また、かかる絶縁液体の引き抜き装置において、前記絶縁液体の上部に配された電極と前記導電性液体とを互いにスライドさせてなるようにすることによって、一度のスライドでもって広い面積に渡って含まれる絶縁液体を選択的に引き抜くことができ、絶縁液体の回収効率がさらに向上する。
【図面の簡単な説明】
【図１】  この発明の実施例にかかる絶縁液体の引き抜き装置の構成を示す断面図
【図２】  この発明の異なる実施例にかかる絶縁液体の引き抜き装置の構成を示す断面図
【図３】  この発明のさらに異なる実施例にかかる絶縁液体の引き抜き装置の構成を示す断面図
【図４】  この発明のさらに異なる実施例にかかる絶縁液体の引き抜き装置の構成を示す断面図
【図５】  この発明のさらに異なる実施例にかかる絶縁液体の引き抜き装置の構成を示す断面図
【図６】  この発明のさらに異なる実施例にかかる絶縁液体の引き抜き装置の構成を示す断面図
【図７】  この発明のさらに異なる実施例にかかる絶縁液体の引き抜き装置の構成を示す断面図
【図８】  この発明のさらに異なる実施例にかかる絶縁液体の引き抜き装置の構成を示す断面図
【図９】  この発明の参考例にかかる絶縁液体の引き抜き装置の構成を示す断面図
【符号の説明】
１１：球状電極、２：平板電極、３：パイプ、４：対向部、５：絶縁材料、６，２３，２５：絶縁液体、７，７Ａ，１６：矢印、８：針状電極、１０：絶縁体、１２，１５：空間、１３：細孔、１４：円筒状電極、２２：導電性液体、２６：接地容器
【図１】
0004236238.tif 000002
【図２】
0004236238.tif 000003
【図３】
0004236238.tif 000004
【図４】
0004236238.tif 000005
【図５】
0004236238.tif 000006
【図６】
0004236238.tif 000007
【図７】
0004236238.tif 000008
【図８】
0004236238.tif 000009
【図９】
0004236238.tif 000010